(57)【要約】  【課題】複雑な構造にすることなく、空調機からの空気を有効に利用できると共に、カップ内の飲料を効率良く、確実に保温又は保冷できる構造を得る。  【解決手段】空調機ダクト２４の空気吹出口２５と接する位置に取り付けられたカップ収納容器２６と、該カップ収納容器２６内に前記空調機ダクト２４からの温風又は冷風を導くための通風口３２とを備え、前記カップ収納容器２６を回転可能とした。そして、カップ収納容器２６を回転させて、前記空調機ダクト２４の前記空気吹出口２５に前記通風口３２を一致させた送風位置に配置すると、空調機ダクトの空気吹出口２５から通風口３２を通ってカップ収納容器２６に温風又は冷風を導くことができ、前記空気吹出口２５に前記通風口３２以外の壁面を一致させた遮断位置に配置すると、空調機ダクト２４の空気吹出口２５からカップ収納容器２６内に送られる温風又は冷風を遮断することが出来るようにした。【選択図】図３
2005112304.tif 000002
【特許請求の範囲】
【請求項１】
空調機ダクトの空気吹出口と接する位置に取り付けたカップ収納容器と、該カップ収納容器内に前記空調機ダクトからの温風又は冷風を導くための通風口とを備える建設機械のカップホルダーに於いて、
前記カップ収納容器を前記空調機ダクトに対して回転可能に設け、該カップ収納容器を回転させることにより前記空調機ダクトの前記空気吹出口に前記通風口が一致した送風位置と、前記空気吹出口に前記通風口以外の壁面が一致した遮断位置とに切り換えできるようにしたことを特徴とする建設機械のカップホルダー。
【請求項２】
上記カップ収納容器の回転を、上記送風位置と上記遮断位置との間の任意の位置で停止できるようにしたことを特徴とする請求項１記載の建設機械のカップホルダー。
【請求項３】
上記通風口を上記カップ収納容器の側面に設けたことを特徴とする請求項１又は２記載の建設機械のカップホルダー。
【請求項４】
上記通風口を上記カップ収納容器の底面に設けたことを特徴とする請求項１又は２記載の建設機械のカップホルダー。
【発明の詳細な説明】
【技術分野】
【０００１】
本発明は建設機械のカップホルダーに関するものであり、特に、飲料の入ったカップを保温、保冷する機能を有するカップホルダーに関するものである。
【背景技術】
【０００２】
従来、建設機械に搭載されるカップホルダーとしては各種のものが知られている。例えば、自動車の室内に於いて、空調機ダクトの空気吹出口の前面に取り付けられるカップホルダーがある。このカップホルダーは、使用しない時には空気吹出口の前面を覆って閉じるリッドの役目をしており、使用するときに開くとトレイ状のカップ受台として使用できる構造になっている(例えば、特許文献１参照)。
【０００３】
又、別のカップホルダーとして、空調機ダクトからカップ収納容器内に温風又は冷風を直接取り入れる構造である。このカップホルダーは、空調ダクトに繋がる通風口が周面に複数設けられているカップ収納容器を有し、空調機ダクトからの温風又は冷風を通風口からカップ収納容器内に導き、該カップ収納容器内を流れる温風又は冷風によって該カップ収納容器内に収納されている缶或いはカップ類(以下、これらを総称して単に「カップ」という。)内の飲料を保温又は保冷できる構造になっている(例えば、特許文献２、特許文献３参照)。
【特許文献１】特開平７−１９５９３７号公報（図１〜図４）。
【特許文献２】特開２００２−２３５４号公報（図４）。
【特許文献３】特開２０００−１４２２０４号公報（図１〜図３）。
【発明の開示】
【発明が解決しようとする課題】
【０００４】
特許文献１記載のカップホルダーは、トレイ状のカップ受台上に飲料を入れたカップを載せ、該カップの周面に空調機の空気吹出口から温風又は冷風を直接吹き付け、カップと共に飲料を保温又は保冷する構造に成っている。このため、カップはカップ受台上に露出して載せられているので、該カップの周面全体に十分な温風又は冷風を導くことが難しく、飲料の入ったカップ全体を効率良く加熱又は冷却することができないことになり、しかも加熱又は冷却に時間を要するという問題があった。
【０００５】
特許文献２及び特許文献３記載のカップホルダーは、カップが収納されるカップ収納容器を有し、該カップ収納容器内に空調機のダクトから吹き出された温風又は冷風を導き、該カップ収納容器内を流れる温風又は冷風によって該カップ収納容器内に収納したカップと共に該カップ内の飲料を所望の温度に保温又は保冷するので、効率的には特許文献１の問題点を解決することはできる。
【０００６】
しかしながら、特許文献２及び特許文献３に記載されているカップホルダーは、カップが載せられている、いないに関わらず、常に空気吹出口から温風又は冷風が室内に吹き出されている。このことは、吹き出される空気が分散され、必要とする空気吹出口の風量が弱められることになり、効率的には良くない。
【０００７】
更に、特許文献１及び特許文献２，特許文献３の何れに記載のカップホルダーも通風口から導かれる温風又は冷風の量は、空調機側の風量を変化させない限り常に一定であって、該通風口の部分だけを風量調節出来るような構造にはなっていないので、この点から見ても効率が良くない。
【０００８】
そこで、複雑な構造にすることなく、空調機からの空気を有効に利用できると共に、カップ内の飲料を効率良く、確実に保温又は保冷できる構造を得るために解決すべき技術的課題が生じてくるのであり、本発明はこの課題を解決することを目的とする。
【課題を解決するための手段】
【０００９】
本発明は上記目的を達成するために提案されたものであり、請求項１記載の発明は、空調機ダクトの空気吹出口と接する位置に取り付けたカップ収納容器と、該カップ収納容器内に前記空調機ダクトからの温風又は冷風を導くための通風口とを備える建設機械のカップホルダーに於いて、前記カップ収納容器を前記空調機ダクトに対して回転可能に設け、該カップ収納容器を回転させることにより前記空調機ダクトの前記空気吹出口に前記通風口が一致した送風位置と、前記空気吹出口に前記通風口以外の壁面が一致した遮断位置とに切り換え可能に構成した建設機械のカップホルダーを提供する。
【００１０】
この構成によれば、カップ収納容器を送風位置に回転させると、空調機ダクトの空気吹出口から通風口を通ってカップ収納容器に温風又は冷風を導くことができる。反対に、遮断位置に回転させると、空調機ダクトの空気吹出口からカップ収納容器内に送られる温風又は冷風を遮断することが出来る。
【００１１】
請求項２記載の発明は、上記カップ収納容器の回転を、上記送風位置と上記遮断位置との間の任意の位置で停止できるようにした建設機械のカップホルダーを提供することにある。
【００１２】
この構成によれば、カップ収納容器の回転量、即ち回転位置を調整することにより、空気吹出口と通風口との一致量、即ち、空気が通過する開口量を調整することができる。このようにカップ収納容器の回転量を調整することにより、カップ収納容器内に吹き出す温風又は冷風の吹出量を自由に調整することができる。
【００１３】
請求項３記載の発明は、上記通風口を上記カップ収納容器の側面に設けた建設機械のカップホルダーを提供することにある。
【００１４】
この構成によれば、カップ収納容器内に導かれた温風又は冷風は、カップ収納容器内のカップの側面に対して直接吹き付けられ、該カップを内部の飲料と共に急速に加温又は冷却することができる。
【００１５】
請求項４記載の発明は、上記通風口を上記カップ収納容器の底面に設けた建設機械のカップホルダーを提供することにある。
【００１６】
この構成によれば、底面からカップ収納容器内に導かれた温風又は冷風は、カップ収納容器内のカップの底面から側面を沿うようにして流れ、カップの略全体に亘って保温又は保冷が効率良く行われる。
【発明の効果】
【００１７】
請求項１記載の発明は、単にカップ収納容器を回転させるだけで、空調機ダクトの空気吹出口からカップ収納容器内に送られる温風又は冷風を、単にカップ収納容器を回転させるだけで簡単にコントロールすることができる。即ち、使用するときには送風位置に回転させるとカップ収納容器内に温風又は冷風を取り込むことができ、遮断位置に回転させると該カップ収納容器内に吹き出されていた温風又は冷風を別の必要とされる空気吹出口に回すことができるというように、簡単な切り換え操作で該温風又は冷風を有効に使用することができる。
【００１８】
請求項２記載の発明は、カップ収納容器の回転量を調整することにより、カップ収納容器内に吹き出す風量を自由に調整することができるので、請求項１記載の発明の効果に加えて、更にきめ細かい保温又は保冷を効率良く行うことができる。
【００１９】
請求項３記載の発明は、カップ収納容器内に導かれた温風又は冷風を、カップ収納容器内のカップの側面に対して直接吹き付けるので、請求項１又は２記載の発明の効果に加えて、急速にカップの加温又は冷却を行うことができる。
【００２０】
請求項４記載の発明は、底面からカップ収納容器内に導かれた温風又は冷風を、カップ収納容器内のカップの底面から側面に亘って沿うようにして流すので、請求項１又は２記載の発明の効果に加えて、カップの略全体に亘る保温又は保冷を効率的に行うことができる。
【発明を実施するための最良の形態】
【００２１】
以下、本発明の実施例を図面に従って詳述する。
【実施例１】
【００２２】
図１は、本発明のカップホルダーを使用した建設車両の一例として油圧ショベル１０を示したものであり、該油圧ショベル１０は、下部走行体１１の上に旋回機構１２を介して上部旋回体１３が旋回自在に載置されている。上部旋回体１３には、その前方一側部にキャブ１４が設けられ、且つ、前方中央部にブーム１５が俯仰可能に取り付けられている。又、ブーム１５の先端にアーム１６が上下回動自在に取り付けられ、更に該アーム１６の先端にバケット１７が取り付けられている。
【００２３】
図２はキャブ１４内の概略構成を示す。該キャブ１４は、後下部に空調機(エアコンユニット)１８が配設され、該空調機１８から延出した空調機ダクトが、運転席１９の横を通って、キャブ１４の前部で、フロントサイドフレーム２０に取り付けられた樹脂製のトリムカバー２１内まで延設されている。
【００２４】
該トリムカバー２１には、上方部分に空調機ダクトの上部吹出口２２を運転席１９の方向に向けて設けている共に、上部吹出口２２の上方部分にカップホルダー２３を設けている。
【００２５】
図３乃至図６はカップホルダー２３の詳細な構造を示すもので、図３はトリムカバー２１の一部を破断して該トリムカバー２１の内部に配設されているカップホルダー２３の構造を示す斜視図、図４は図３のＡ−Ａ線断面図、図５は図４のＤ部拡大図、図６は図５中の矢印Ｅ方向より見た側面図である。図３乃至図６に於いて、カップホルダー２３は、空調機ダクト２４の空気吹出口２５と接する位置に取り付けたカップ収納容器２６を有する。尚、トリムカバー２１には、カップ収納容器２６を取り付ける部分に、円形の取付穴２７を設けている。
【００２６】
前記カップ収納容器２６は、樹脂材製で、円筒形の本体部２６ａと、該本体部２６ａの底面を閉じた底壁部２６ｂとを一体に有し、上面を開口させた概略カップ状に形成されている。又、上面開口２８の外周部分には鍔部２９が全周に亘って設けられている。
【００２７】
更に、本体部２６ａの側面、即ち周面には、鍔部２９の下方部分に係止片３０を設けている。該係止片３０は１つ以上複数個であっても良い。該係止片３０は、図５及び図６に詳細な構造を示しているように、カップ収納容器２６に於ける本体部２６ａの周面にコ字状にスリット３１を設けて形成されており、下側が固定で、上側が内外方向に弾性変形可能な状態にして作られている。又、該係止片３０の外面は、下側から上側に進むに従って徐々に外側に迫り出す傾斜面として形成されており、上端面は本体部２６ａの周面よりも大きく外側に突き出した係止爪３０ａとして作られている。尚、係止爪３０ａと鍔部２９との間の距離はトリムカバー２１の肉厚寸法に略等しく形成されていて、係止爪３０ａと鍔部２９との間にトリムカバー２１を挟むことができる構造になっている。
【００２８】
又、本体部２６ａの外周部分には、外部からの空気をカップ収納容器２６内に導くための通風口３２を複数(本例では３２ａ，３２ｂ，３２ｃの３つ)に分割して設けている。該通風口３２の大きさは空調機ダクト２４の空気吹出口２５と略等しく形成されている。
【００２９】
次に、カップ収納容器２６をトリムカバー２１に取り付ける場合の動作を説明する。先ず、底壁部２６ｂを下側にしてカップ収納容器２６を取付穴２７内に落とし込んで行く。係止片３０が取付穴２７の内面に当接して停止したら、カップ収納容器２６を更に下側に押し付けると、係止片３０の傾斜面が取付穴２７の内面に押され、弾性変形可能な係止片３０が内側に逃がされて更に挿入が許容される。そして、係止片３０がトリムカバー２１の下側に到達すると、該係止片３０が外側に弾性復帰し、係止爪３０ａがトリムカバー２１の下面に係合する。従って、この係止爪３０ａとトリムカバー２１との係合により、カップ収納容器２６がトリムカバー２１に対し抜け止めされて取り付けられる。
【００３０】
このようにして、トリムカバー２１に取り付けたカップ収納容器２６は、鍔部２９に指をかけて回そうとすると、取付穴２７内で水平回転させて回すことができる。又、空調機ダクト２４の空気吹出口２５は、カップ収納容器２６が一回転する間に、必ず１回は通風口３２と一致する位置に設けてある。そして、飲料が入れられたカップ３３を置く場合は、カップ収納容器２６内にカップ３３を収納する。而して、カップ３３の底面が底壁部２６ｂで受けられると共に、側面が本体部２６ａの内面で受けられて保持される。図４は、カップ収納容器２６にカップ３３が配置された状態を示している。
【００３１】
図７はカップホルダー２３の動作を説明する図で、(ａ)は空気吹出口２５に通風口３２が一致した送風位置にカップ収納容器２６を回転させた状態を示し、(ｂ)は空気吹出口２５に通風口３２以外の壁が一致した遮蔽位置にカップ収納容器２６を回転させた状態を示している。
【００３２】
このように構成されたカップホルダー２３は、使用しないとき、図７(ｂ)に示すように、空気吹出口２５に通風口３２以外の壁を一致させる遮蔽位置にカップ収納容器２６を回転させて、空気吹出口２５を本体部２６ａの周壁で閉じた状態にしておく。図３及び図４も、カップ収納容器２６が遮蔽位置に配置されている状態を示す。而して、カップホルダー２３を使用しない時に、空調機１８に於ける空調機ダクト２４の空気吹出口２５をカップ収納容器２６の本体部２６ａの周壁で遮断して閉じると、該空気吹出口２５から吹き出される空気は、他の温風又は冷風を必要とする空気吹出口に回され、該他の空気吹出口から効率良く吹き出されることになる。
【００３３】
これに対して、図７(ａ)に示すように、空気吹出口２５に通風口３２を一致させた送風位置にカップ収納容器２６を回転させると、空調機１８の空調機ダクト２４からの温風又は冷風は、空気吹出口２５から通風口３２を通ってカップ収納容器２６内に導かれ、カップ収納容器２６内のカップ３３の側面に対して直接吹き付けられる。又、カップ収納容器２６内を周回した後、上面開口２８よりカップ収納容器２６の外側に排出され、この空気の流れによってカップ３３と共に飲料を急速に加温又は冷却することができる。
【００３４】
尚、空気吹出口２５から通風口３２を通ってカップ収納容器２６内に導かれる温風又は冷風の量は、空調機１８の風量を調節する以外に、空気吹出口２５に通風口３２が一致される量、即ちカップ収納容器２６の回転量を調節することによって自由に調整することが可能で、更にきめの細かい保温又は保冷を効率良く行うことができる。
【実施例２】
【００３５】
図８及び図９は本発明に係るカップホルダーの第２の実施例を示す。図８はトリムカバー２１の一部を破断して内部を示す斜視図、図９は図８のＢ−Ｂ線断面図である。本実施例２におけるカップホルダーの構成は空気吹出口２５及び通風口３２をカップ収納容器２６の底面側に設けたものであり、その他の構成は、図１乃至図６と同一であるから同一構成部分については同一符号を付してその説明は省略するものとする。
【００３６】
この構造ではトリムカバー２１の取付穴２７内に水平回転可能に取り付けられているカップ収納容器２６の底壁部２６ｂに、外部からの空気をカップ収納容器２６内に導くための通風口３２を複数(本例では３２ａ，３２ｂ，３２ｃの３つ)に分割して設けている。該通風口３２の大きさは空調機ダクト２４の空気吹出口２５と略等しい。又、空調機ダクト２４の空気吹出口２５は、カップ収納容器２６の底壁部２６ｂと接する位置に設けられていると共に、カップ収納容器２６を一回転させる間に、必ず１回は通風口３２と一致する位置に設けてある。そして、飲料が入れられたカップ３３を置く場合は、カップ収納容器２６内にカップ３３を収納すると、カップ３３の底面が底壁部２６ｂで受けられると共に、側面が本体部２６ａの内面で受けられて保持される。図９は、このようにしてカップ収納容器２６にカップ３３が配置されている状態を示している。
【００３７】
図１０はカップホルダー２３の動作を説明する図で、(ａ)は空気吹出口２５に通風口３２を一致させた送風位置にカップ収納容器２６を回転させた状態を示し、(ｂ)は空気吹出口２５に通風口３２以外の壁を一致させた遮蔽位置にカップ収納容器２６を回転させた状態を示している。
【００３８】
このように構成されたカップホルダー２３は、使用しないとき、図１０(ｂ)に示すように、空気吹出口２５に通風口３２以外の壁を一致させた遮蔽位置にカップ収納容器２６を回転させた状態にしておく。図８及び図９も、カップ収納容器２６が遮蔽位置に配置されている状態を示している。而して、カップホルダー２３を使用しない時に、空調機１８の空調機ダクト２４の空気吹出口２５を本体部２６ａの底壁部２６ｂで遮断し閉じておくと、該空気吹出口２５から吹き出される温風又は冷風は、他の温風又は冷風を必要とする空気吹出口に回され、該他の空気吹出口から効率良く吹き出されることになる。
【００３９】
これに対して、図１０(ａ)に示すように、空気吹出口２５に通風口３２を一致させた送風位置にカップ収納容器２６を回転させると、空調機１８の空調機ダクト２４からの温風又は冷風は、空気吹出口２５から通風口３２を通ってカップ収納容器２６内に導かれ、カップ収納容器２６内のカップ３３の底面に向かって吹き付けられた後、該底面から側面に沿うようにしてカップ３３の外面に沿って流れ、その後、上面開口２８より排出される。この空気の流れによってカップ３３と共に飲料を加温又は冷却することができる。
【００４０】
又、空気吹出口２５から通風口３２を通ってカップ収納容器２６内に導かれる温風又は冷風の量は、空調機１８の風量を調節する以外に、空気吹出口２５に通風口３２が一致される量、即ちカップ収納容器２６の回転量を調節することによって自由に調整することが可能で、更にきめの細かい保温又は保冷を効率良く行うことができることになる。
【００４１】
尚、本発明は、本発明の精神を逸脱しない限り種々の改変を為すことができ、そして、本発明が該改変されたものに及ぶことは当然である。
【図面の簡単な説明】
【００４２】
【図１】本発明のカップホルダーを使用した油圧ショベルの側面図。
【図２】油圧ショベルのキャブ内の概略構成を示す斜視図。
【図３】本発明の第１の実施例として示すカップホルダーの斜視図。
【図４】図３のＡ−Ａ線断面図。
【図５】図４のＤ部拡大図。
【図６】図５中の矢印Ｅ方向より見た側面図。
【図７】第１の実施例に係るカップホルダーの動作を説明するもので、(ａ)はカップ収納容器が送風位置に回転されている状態での横断面図、(ｂ)はカップ収納容器が遮断位置に回転されている状態での横断面図。
【図８】本発明の第２の実施例として示すカップホルダーの斜視図。
【図９】図８のＢ−Ｂ線断面図。
【図１０】第２の実施例に係るカップホルダーの動作を説明するもので、(ａ)はカップ収納容器が送風位置に回転されている状態で示す横断面図、(ｂ)はカップ収納容器が遮断位置に回転されている状態で示す横断面図。
【符号の説明】
【００４３】
２１      トリムカバー
２３      カップホルダー
２４      空調機ダクト
２５      空気吹出口
２６      カップ収納容器
２６ａ    本体部
２６ｂ    底壁部
２７      取付穴
２８      上面開口
３２      通風口
３３      カップ
【図１】
2005112304.tif 000003
【図２】
2005112304.tif 000004
【図３】
2005112304.tif 000005
【図４】
2005112304.tif 000006
【図５】
2005112304.tif 000007
【図６】
2005112304.tif 000008
【図７】
2005112304.tif 000009
【図８】
2005112304.tif 000010
【図９】
2005112304.tif 000011
【図１０】
2005112304.tif 000012